(57)【特許請求の範囲】
【請求項１】
ディフレクタ（２）の下方端部が互いに直交するＸ方向軸線及びＹ方向軸線に沿って調整できるようになされた、ガラス製造機械におけるトラフ組立体のディフレクタ（２）の調整可能取り付け装置であって、
水平方向に延びる支持部（４）と、
該支持部（４）の長さ方向に摺動運動するように前記支持部（４）上に取りつけられた支持組立体（１６）と、
前記支持部（４）の長さ方向に前記支持組立体の位置を調整する第一調整手段（５３）とを備え、
前記支持組立体（１６）が前記支持部（４）の長さ方向に摺動運動するように取り付けられた支持ブロック（１８）を備え、
前記支持部（４）に対して横方向に動くように前記支持ブロック（１８）上に取り付けられ、ディフレクタ（２）と係合し該ディフレクタを所定の位置に位置決めする手段（６１）を備えた支持ブラケット（５８）と、
前記支持部（４）を横切る方向に前記支持ブラケット（５８）の位置を調整するための第二調整手段（６８、６６）と、
が設けられたことを特徴とする取り付け装置。
【請求項２】
前記第一調整手段（５３）は、前記支持部（４）に固定された固定ブロック（３８）と、該固定ブロックに回転可能に取り付けられ、該固定ブロックに対して軸線方向に動かないように制限されて前記支持部（４）の軸線に平行に延びるロッド（５２）とを備え、該ロッドは前記支持ブロック（４）内のねじ付きボア内に係合するねじ山が切られた端部分を備えていることを特徴とする請求項１に記載の取り付け装置。
【請求項３】
前記支持部の長さ方向に前記組立体の位置を調整するための第一調整手段をそれぞれが有する複数の支持組立体を備え、前記第一調整手段のそれぞれは、前記固定ブロックに回転可能に取りつけられており、該固定ブロックに対して軸線方向に動かないように制限されて前記支持部の軸線に平行に延びるロッドを備えており、該ロッドは前記支持組立体の前記ブロック内のねじ付きボア内に係合されるねじ山が切られた部分を備えており、各支持組立体の前記ロッドは、前記支持組立体と前記固定ブロックとの間に配置された支持組立体の支持ブロックを自由に通るようになっていることを特徴とする請求項２に記載の取り付け装置。
【請求項４】
前記支持ブラケットは前記支持部のスロットを貫通することを特徴とする請求項１又は２のいずれかに記載の取り付け装置。
【請求項５】
ピンが前記支持ブラケットのアームに取り付けられており、該アームは、前記支持ブロック内のスロット内と前記支持部の前記スロット内を可動である固定ラグを備えていることを特徴とする請求項４に記載の取り付け装置。
【請求項６】
前記支持ブラケットは、ねじが切られた端部を有しており、前記第二調整手段は、前記支持ブラケットのねじが切られた端部分と係合するねじが切られた部分を有するスリーブと、固定位置にあるときに軸線のまわりを回転しないように前記スリーブを締め、調整位置にあるときに、前記支持ブロックに対して前記スリーブが軸線方向に動かないようにしながら前記スリーブが回転運動できるようにする固定手段とを備えていることを特徴とする請求項４又は５のいずれかに記載の取り付け装置。
【発明の詳細な説明】
【０００１】
【産業上の利用分野】
本発明は、ガラス製品製造装置におけるトラフ装置のディフレクタのための取り付け装置に関する。
【０００２】
【従来の技術】
公知の個別セクション型ガラス製品製造装置においては、複数（一般的に８個から１６個）の同一構成の個別セクションが並んで取り付けられており、形成されたガラス製品がほぼ連続して流れるように互いに順番に作動するように配置されている。各セクションは、通常、パリソン形成モールドと吹き込みモールドを含んでおり、溶融ガラスからなる１個、２個、３個或いは４個のゴブを一度に、対応する数のパリソンモールド内に受取り、パリソンモールド内で、ゴブがパリソンに形成されて、次いで、パリソンは、吹き込みモールドに搬送されて所望の形状に形成される。
ゴブがゴブ分配器によってトラフシステムに供給され、このトラフシステムを介してゴブがパリソンモールド内に供給される。各セクションに対応したトラフシステムがあり、ゴブ分配器は、トラフシステムの上端部と整列するように動く複数のスクープを介して、各トラフシステムに必要な数のゴブを与えるように配置されている。
【０００３】
各トラフシステムは、各セクションのモールドキャビティに対応して、ゴブをスクープからパリソンモールドの片側上に搬送する上向き斜面トラフと、トラフから降りてくるゴブを垂直通路に向きを変えさせて、パリソンモールドキャビティ内に落とす、下向きディフレクタを有している。
各ゴブが、パリソンモールドのモールドキャビティの中央に正確に搬送されることが重要なことであり、従ってゴブが正しく搬送されるようにディフレクタがモールトキャビティと整列できることが必要である。
英国特許第２２４９０８９号は、ガラス製造機械におけるトラフ組立体のディフレクタの調整可能な取り付け装置を開示する。この取り付け装置は、横方向に調整ができるようになっており、長手方向に延びる斜面支持部を備えた、機械のフレームに取り付けられたキャリッジを有する。斜面支持部上には、この斜面支持部を長手方向に調整するためにディフレクタを支持する支持組立体が取り付けられている。このようにディフレクタの位置は、機械フレームに対してキャリエッジを横方向に調整し、キャリッジの支持部に対してトラフを縦方向に調整することによって調整することができる。
【０００４】
【発明が解決しようとする課題】
このことは、ディフレクタをモールドキャビティと整列させるように２つの相互の垂直方向にディフレクタの調整を行うことになるが、複数ゴブ機械における複数のディフレクタに用いるのに適応しにくいという欠点がある。使用において殆どの個別セクション型機械は、一般的に２個か３個のゴブからなる複数ゴブである。
【０００５】
【課題を解決するための手段】
本発明の目的の一つは、単一の、あるいは複数ゴブからなる機械に用いられるようになったトラフ組立体のディフレクタの改良された調整可能な取り付け装置を提供することである。
本発明は、ガラス製造機械のトラフ組立体のディフレクタの調整可能な取り付け装置を提供し、このディフレクタの下側端部の位置は、二つのほぼ垂直方向の軸線に沿って調整できるようになっている。この取り付け装置は、水平方向に延びる支持部と、該支持部の長さ方向に摺動運動するように支持部に取り付けられた支持組立体を備えており、該支持組立体は、支持部の長さ方向に摺動運動できるように取り付けられた支持ブロックを有する。さらに、この装置には、支持部の長さ方向に支持組立体の位置を調整するための第一調整手段と、支持部の横方向に動くように支持ブロック上に取りつけられ、ディフレクタと係合して該ディフレクタを所定の位置に位置決めする手段を備えた支持ブラケットと、支持部の横方向に支持ブラケットの位置を調整するための第二の調整手段と、が設けられる。
【０００６】
本発明を実施する調整可能な取り付け装置を添付図面を参照して、以下に記載する。
【０００７】
【実施例】
図１では、個別セクション型ガラス製造機械における個々のセクションのトラフ組立体のディフレクタ２の調整可能な取り付け装置を示す。この取り付け装置は、機械のフレーム部材６に固定される、水平方向に延びる支持部４を備えている。支持部４は、断面がほぼ円形であり、上側平坦水平面１０、下側平坦水平面１２を形成する支持部４を通って直径方向に延びる幅の広い中央スロット８が設けられている。支持部４は、下向きの軸線方向の凹部１４を備えている。
複数の支持組立体１６が支持部４に取り付けられている。これらの組立体１６の一つのみを図１に詳細に示しており、他は、点線で示す。支持組立体１６の数は、セクション内のディフレクタの数に依る。即ち、単一のゴブセクションは、一個の支持組立体を用いており、三個のゴブセクションでは、三個の支持組立体を用いる。
【０００８】
支持組立体１６は、ほぼ立方形の支持ブロック１８を有する（図１及び図４参照）。ブロック１８は、支持部４上に摺動可能に嵌まる中央ボア２０を備えている。四個のねじ付きボア２２がブロック１８の角部分に対称的にかつボア２０に平行に配置されている。中央ボア２０よりも小さい直径の横方向のボア２４は、垂直方向にボア２０と交わり、ブロック１８を貫通して右方向に延びる。ブロック１８の前面からボア２０に延びる平行に並んだ切り口の凹部２８がブロック１８の側面３０に形成されている。
プレート３２がブロック１８の底面に固定されており、ブロック１８内の短い皿取りボアを貫通して凹部１４内に延びる直立型キー３６を備えており、支持部４上のブロック１８の半径方向の配向を決定することになる。ボルト３４がキー３６を貫通して延びており、支持部４上の位置にブロック１８をロックするように締めることができる。
【０００９】
ブロック１８は、支持部４に配置されており、ボア２２が支持部４の軸線に平行に延びており、側面３０内の凹部２８はスロット８と整列する。
取り付け装置は、第一調整手段５３を備えており、支持組立体１６の位置を支持部４の長手方向に調整する。第一調整手段５３は、支持部４に固定される固定ブロック３８を備えている。ブロック３８（図３参照）は、ブロック１８とほぼ同じである。ブロック３８は、ほぼ立方形であり、支持部４の回りに嵌まる中央ボア４０を備えている。四個のボア４２が、ブロック１８のボア２２に対応して対称的にかつボア４０に平行に配置される。短い皿取りボア４４が、ボア４０に延びるブロック３８の下側面に形成されている。支持部４の凹部１４に入るキー５０を支持するプレート４６は、ブロック３８の底面に固定されている。ねじ４８が、キー５０内に取り付けられており、ねじ４８を締めることによって、ブロック３８は支持部４の位置にロックされる。
【００１０】
第一の調整手段は、ボア４２の一つに取りつけられているロッド５２を備えており、このロッドは回転できるがブロック３８に対して軸線方向には動かず、支持部４の軸線に平行に延びるようになっている。ロッド５２は、ブロック１８のねじ付きボア２２の一つを貫通するねじ山が切られた端部５４を備えている。らせん型ワイヤインサート（図示せず）がボア２２内に配置されており、インサートはロッド５２のねじ山とボア２２のねじ山の双方に係合するようになっている。このように、すべり止めヘッド５６によるロッド５２の回転によって、ブロック１８は、固定された固定ブロック３８の方向に、或いは離れる方向に支持部４上を摺動することができる。
支持組立体１６は、支持部４の横方向に動かすように支持ブロック１８内に取り付けられている支持ブラケット５８を備えている。ブラケット５８は、ディフレクタ２上のラグ６３内の穴に係合するようになっているピン６１を支持するクランクされた部分６０を備えており、ディフレクタ２を所望の位置に配置させる。クランク部分６０は、ボルト６２によって支持ブラケット５８の円筒形部材６４の一端部に固定されており、クランクされた部分６０の安定アーム６５はブロック１８の凹部２８内に延びる。
【００１１】
円筒形部材６４は、ブロック１８の横方向ボア２４内に摺動嵌合し、そのボアを貫通して延びて、ねじ山が切られた端部６６を備える。支持組立体１６は、支持部４の横方向に支持ブラケット５８の位置を調整する第二調整手段を有する。スリーブ６８は、部材６４の外方向に突出する部分を囲み、一端近くにリップ７０と、ねじ山が切られた端部６６を受け取るねじ付きボア７４を有する他端近くに端部７２とを有する。リング７６は、２つのねじ７８によってブロック１８に固定されており、リップ７０に重なる内向きリップ８０を備えている。
スリーブ６８は、このように回転できるが、リップ８０とリップ７０の係合によって軸線方向の動きから制限される。スリーブ６８の回転によって支持部４の横方向に円筒形部材６４の動きが生じ、これにより支持ブラケット５８とピン６１の動きが生じる。
【００１２】
このようにピン６１の位置とディフレクタ２の位置がすべり止めヘッド５６の手段によってＸ方向に調整でき（図１参照）、スリーブ６８の手段によってＹ方向に調整できることがわかる。
第二の支持組立体１６は、２つのディフレクタ２を有する２ゴブセクションに用いるのに必要とされ、点線で示す。この組立体１６の支持ブラケット５８の調整は、スリーブ６８によってなされる。支持部４の長さ方向の第二の組立体１６の位置を調整するための第一調整手段は、ロッド５２（点線で示す）を備えており、このロッド５２は、第一組立体のロッド５２と同じ方法で、固定ブロック３８のボア４２の一つを貫通して延び、第一組立体１６のねじ付きボア２２の一つを通り、〔ねじ切りインサートがボア２２に含まれていないので、ロッドは自由に貫通する〕第二組立体のブロック１８のねじ付きボア２２内のらせん形ワイヤインサートを係合するねじ山がきられた端部分を備えている。第二組立体の調整は、第一の組立体が調整される手段にほぼ同様の手段で行われることがわかる。
【００１３】
示された構造で、複数の支持組立体（特に４つまで）には、組立体の位置を調整する第一調整手段を備えた各支持組立体を設けることができ、第一調整手段のそれぞれは、固定ブロック３８内に回転可能に取りつけられ、かつ固定ブロック３８に対して軸線方向に動かないように制限されて支持部４に平行に延びるロッドを備えている。このようなロッドは、支持組立体のブロック内のねじ付きボアに係合するねじ山が切られた部分を備えており、各支持部材のロッドは、支持組立体と固定ブロックとの間に配置された支持組立体の支持ブロックを自由に貫通する。
さらに、各組立体の支持部材のそれぞれの構成は、同一構成であり、支持ブロックのボア２２へのねじ切りインサートの選択的な位置付けは、ボア２２とロッド５２との間のねじ切り係合を決定する。
【図面の簡単な説明】
【図１】一個のディフレクタを所定位置を示し、他のディフレクタを点線で示した状態で、本発明を実施する調整可能な取り付け装置を表す平面図である。
【図２】図１のＩＩ−ＩＩ線に沿った断面図である。
【図３】図１のＩＩＩ−ＩＩＩ線に沿った断面図である。
【図４】支持ブロックの下側の斜視図である。
【符号】
２  ディフレクタ
４  支持部
６  フレーム部材
８  スロット
１４  凹部
１６  支持組立体
１８  ブロック
２０  中央ボア
２２  ねじ付きボア
３４  ボルト
３６  キー
３８  ブロック
５２  ロッド
５３  第一調整手段
５８  ブラケット
６８  スリーブ
【図１】
0003806162.tif 000002
【図２】
0003806162.tif 000003
【図３】
0003806162.tif 000004
【図４】
0003806162.tif 000005